(57)【要約】【課題】電力線通信が行われる周波数範囲における配線系の平衡度の向上と電力線通信装置以外の装置が発生するノイズの低減とを効果的に実現すること。【解決手段】電力線通信を行う通信媒体として利用される電力線通信線路に接続される電力線通信用通信線路改善装置であって、電力線通信線路側から引き出された一対の電線が磁性コアの軸方向に平行かつ同方向に巻回されてなるコモンモードチョークコイル２と、コモンモードチョークコイル２から引き出された一対の電線の各電線ごとに各電線のそれぞれが磁性コアの軸方向に巻回されてなるディファレンシャルモードチョークコイル３と、を備え、コモンモードチョークコイル２とディファレンシャルモードチョークコイル３とが、電力線通信線路と電力線通信線路を利用して通信を行う電力線通信装置以外の装置との間に直列に挿入される。【選択図】        図１
2007329736.tif 000002
【特許請求の範囲】
【請求項１】
電力線通信を行う通信媒体として利用される電力線通信線路に接続される電力線通信用通信線路改善装置であって、
前記電力線通信線路側から引き出された一対の電線が磁性コアの軸方向に平行かつ同方向に巻回されてなるコモンモードチョークコイルと、
前記コモンモードチョークコイルから引き出された一対の電線の各電線ごとに該各電線のそれぞれが磁性コアの軸方向に巻回されてなるディファレンシャルモードチョークコイルと、
を備え、
前記コモンモードチョークコイルと前記ディファレンシャルモードチョークコイルとが、前記電力線通信線路と該電力線通信線路を利用して通信を行う電力線通信装置以外の装置との間に直列に挿入されて構成されたことを特徴とする電力線通信用通信線路改善装置。
【請求項２】
前記一対の電線の各一端に接続されて前記電力線通信線路側の端部に具備されるコンセントプラグと、
前記一対の電線の各一端に接続されて前記電力線通信線路とは異なる側の端部に具備されるコンセントジャックと、
を備えることを特徴とする請求項１に記載の電力線通信用通信線路改善装置。
【請求項３】
前記コモンモードチョークコイル、前記ディファレンシャルモードチョークコイル、前記コンセントプラグおよび前記コンセントジャックが一体的に実装されて構成されたことを特徴とする請求項２に記載の電力線通信用通信線路改善装置。
【請求項４】
前記コモンモードチョークコイルの前記電力線通信線路側に、前記電力線通信装置とは異なる他の電力線通信装置の接続を可能とするコンセントジャックを設けたことを特徴とする請求項３に記載の電力線通信用通信線路改善装置。
【請求項５】
前記他の電力線通信装置の接続を可能とするコンセントジャックの前記電力線通信線路側に、前記コモンモードチョークコイルとは異なるコモンモードチョークコイルを設けたことを特徴とする請求項４に記載の電力線通信用通信線路改善装置。
【請求項６】
前記ディファレンシャルモードチョークコイルの前記電力線通信装置以外の装置が接続される側に、前記電力線通信線路側へのディファレンシャルモード電流を低減させるディファレンシャルモードコンデンサをさらに具備することを特徴とする請求項２〜５のいずれか一つに記載の電力線通信用通信線路改善装置。
【発明の詳細な説明】
【技術分野】
【０００１】
本発明は、電力線通信を行う電力線（以下「電力線通信線路」という）に接続され、電力線通信線路を利用して通信を行う通信装置（以下「電力線通信装置」という）以外の装置との間に介在して電力線通信線路の通信品質を改善する電力線通信用通信線路改善装置に関するものである。
【背景技術】
【０００２】
従来、電力線通信線路に流れるコモンモード電流の抑制や電力線における通信品質の改善を目的としてコモンモードチョークコイルを挿入することが行われる。例えば、下記特許文献１には、電力線通信線路を構成する配線のジョイントボックスや配線アダプタにコモンモードチョークコイルを挿入するとともに、コモンモードのインピーダンスを高くしてコモンモードノイズの低減を行う技術が開示されている。
【０００３】
【特許文献１】特開２００５−３３３２２４号公報
【発明の開示】
【発明が解決しようとする課題】
【０００４】
上記特許文献１では、ジョイントボックスや配線アダプタに挿入されるコモンモードチョークコイルは、コモンモードインピーダンスの大きさを十分大きくするとしているが、その巻き線の巻き方までは記載されていない。その理由として、特許文献１では、コモンモードノイズの低減を行うことのみに発明の主眼が置かれているためと考えられる。
【０００５】
一方、コモンモードチョークコイルは、コモンモードのインピーダンスを上げる作用の他、電力線通信線路の平衡度を上げる作用も有している。このため、コモンモードチョークコイルの使用により、ノイズ低減および通信品質向上の効果を期待することができる。ただし、電力線通信が行われる広い周波数範囲の平衡度を高めるためには、コモンモードチョークコイルの巻き方が重要であるが、上記特許文献１を含む従来技術では、この点についての考慮がなされておらず一つの課題となっている。
【０００６】
また、従来技術では、コモンモードチョークコイルのみを挿入する構成となっているため、電力線通信線路に接続される電力線通信装置以外の装置が発生するディファレンシャルモードのノイズを抑制することができないといった他の課題も存在する。
【０００７】
本発明は、上記に鑑みてなされたものであって、電力線通信が行われる周波数範囲における配線系の平衡度の向上と、電力線通信装置以外の装置が発生するディファレンシャルモードノイズの低減とを効果的に実現する電力線通信用通信線路改善装置を提供することを目的とする。
【課題を解決するための手段】
【０００８】
上述した課題を解決し、目的を達成するため、本発明にかかる電力線通信用通信線路改善装置は、電力線通信を行う通信媒体として利用される電力線通信線路に接続される電力線通信用通信線路改善装置であって、前記電力線通信線路側から引き出された一対の電線が磁性コアの軸方向に平行かつ同方向に巻回されてなるコモンモードチョークコイルと、前記コモンモードチョークコイルから引き出された一対の電線の各電線ごとに該各電線のそれぞれが磁性コアの軸方向に巻回されてなるディファレンシャルモードチョークコイルと、を備え、前記コモンモードチョークコイルと前記ディファレンシャルモードチョークコイルとが、前記電力線通信線路と該電力線通信線路を利用して通信を行う電力線通信装置以外の装置との間に直列に挿入されて構成されたことを特徴とする。
【発明の効果】
【０００９】
本発明にかかる電力線通信用通信線路改善装置によれば、電力線通信線路側から引き出された一対の電線を磁性コアの軸方向に平行かつ同方向に巻回して構成されたコモンモードチョークコイルと、コモンモードチョークコイルから引き出された一対の電線を各電線ごとに磁性コアの軸方向に巻回して構成されたディファレンシャルモードチョークコイルとを、電力線通信線路と電力線通信線路を利用して通信を行う電力線通信装置以外の装置との間に直列に挿入するようにしているので、電力線通信が行われる周波数範囲における平衡度が向上するとともに、電力線通信装置以外の装置が発生するディファレンシャルモードノイズを含むノイズを効果的に低減することができるという効果を奏する。
【発明を実施するための最良の形態】
【００１０】
以下に、本発明にかかる電力線通信用通信線路改善装置の好適な実施の形態を図面に基づいて詳細に説明する。なお、この実施の形態により本発明が限定されるものではない。
【００１１】
実施の形態１．
図１は、本発明の実施の形態１にかかる電力線通信用通信線路改善装置の構成を示す図である。同図に示す電力線通信用通信線路改善装置１は、コンセントプラグ４、コモンモードチョークコイル２、ディファレンシャルモードチョークコイル３およびコンセントジャック５を備えて構成される。コモンモードチョークコイル２は、例えばフェライトなどの磁性材料からなる磁性コアを具備し、この磁性コアの軸方向にコンセントプラグ４のプラグと反対側の端から引き出された２本の電線が平行かつ同方向に巻回された構造を有してなる。また、ディファレンシャルモードチョークコイル３は、その一の構成部において、コモンモードチョークコイル２と同様な磁性材料からなる磁性コアを具備し、コモンモードチョークコイル２から引き出された一方の電線が磁性コアの軸方向に巻回された構造を有してなる。なお、ディファレンシャルモードチョークコイル３は、コモンモードチョークコイル２から引き出された一方および他方の電線を巻回した一対で構成され、ディファレンシャルモードチョークコイル３から引き出された一対の電線はコンセントジャック５に収容される。
【００１２】
上記のように構成された電力線通信用通信線路改善装置１は、図１に示すように、コンセントプラグ４が電力線側に接続あるいは電力線側に具備されるコンセントジャックに接続されるとともに、コンセントジャック５が電力線通信装置以外の他の装置（例えば家電機器など、以下単に「他の装置」という）に接続される。
【００１３】
なお、図１の構成では、コンセントプラグ４とコンセントジャック５との間に、コモンモードチョークコイル２、ディファレンシャルモードチョークコイル３の順に配置するように構成しているが、コモンモードチョークコイル２とディファレンシャルモードチョークコイル３との接続順が逆になっても構わない。すなわち、コンセントプラグ４とコンセントジャック５との間に、ディファレンシャルモードチョークコイル３、コモンモードチョークコイル２の順に配置するように構成してもよい。
【００１４】
つぎに、電力線通信用通信線路改善装置の電力線との接続について説明する。図２は、本発明の実施の形態１にかかる電力線通信用通信線路改善装置と電力線通信線路との接続例を示す図である。同図において、電力線通信用通信線路改善装置１は、電力線と他の装置との間に挿入されている。具体的には、電力線のコンセントジャックに電力線通信用通信線路改善装置１のコンセントプラグを差し込むとともに、電力線通信用通信線路改善装置１のコンセントジャックに他の装置のコンセントプラグを差し込む態様で使用する。なお、電力線通信用通信線路改善装置１を電力線の接続端子部に直接接続するような場合には、図１に示すようなコンセントプラグ４は不要となる。また、これとは逆に、電力線通信用通信線路改善装置１を、例えば他の装置内に内蔵して使用する場合には、図１に示すようなコンセントジャック５は不要となる。
【００１５】
図２に示すような接続態様で使用することにより、電力線通信線路とこの電力線通信線路に接続される他の装置との間にコモンモードチョークコイル２が挿入されることとなるので、他の装置が接続されることによって悪化する可能性のある電力線通信線路の不平衡度を改善することができる。また、このような接続態様により、電力線通信線路に流れるコモンモード電流を抑制することができる。
【００１６】
また、この接続態様により、電力線通信線路とこの電力線通信線路に接続される他の装置との間にディファレンシャルモードチョークコイル３が挿入されることとなるので、他の装置が発生するディファレンシャルモードノイズが低減され、電力線通信線路における通信品質を改善することができる。
【００１７】
なお、図１に示すように、この実施の形態にかかる電力線通信用通信線路改善装置では、コモンモードチョークコイル２において、一対の電線を磁性コアに平行かつ同方向に巻回する平衡巻き構造としているため、例えば分割巻きで巻回したコモンモードチョークコイルに比べて不平衡成分を抑えることができ、電力線通信線路の平衡度を高い周波数まで改善することができる。
【００１８】
また、この実施の形態にかかる電力線通信用通信線路改善装置では、上記に加えて、大きなコモンモードインピーダンスを高い周波数まで保持することができるので、電力線通信線路に流れるコモンモード電流の他の装置への流出に対する抑止効果を増大させることができる。
【００１９】
以上説明したように、この実施の形態にかかる電力線通信用通信線路改善装置は、電力線通信線路側から引き出された一対の電線を磁性コアの軸方向に平行かつ同方向に巻回して構成されたコモンモードチョークコイルと、コモンモードチョークコイルから引き出された一対の電線を各電線ごとに磁性コアの軸方向に巻回して構成されたディファレンシャルモードチョークコイルとを、電力線通信線路と電力線通信線路を利用して通信を行う電力線通信装置以外の装置との間に直列に挿入するようにしているので、電力線通信が行われる周波数範囲における平衡度が向上するとともに、電力線通信装置以外の装置が発生するディファレンシャルモードノイズを含むノイズを効果的に低減することができる。
【００２０】
実施の形態２．
図３は、本発明の実施の形態２にかかる電力線通信用通信線路改善装置の構成を示す図である。同図の電力線通信用通信線路改善装置１は、図１に示したコモンモードチョークコイル２、ディファレンシャルモードチョークコイル３、コンセントプラグ４およびコンセントジャック５の各構成部を一体化した構造としている。
【００２１】
図３に示すような構成によれば、各構成部間を接続する余分な配線が削除でき、電力線通信用通信線路改善装置を小型化できるという効果が得られる。
【００２２】
以上説明したように、この実施の形態にかかる電力線通信用通信線路改善装置は、コモンモードチョークコイル、ディファレンシャルモードチョークコイル、コンセントプラグおよびコンセントジャックを一体的に実装するようにしているので、各構成部間を接続する余分な配線が削除でき、電力線通信用通信線路改善装置を小型化することが可能となる。
【００２３】
実施の形態３．
図４は、本発明の実施の形態３にかかる電力線通信用通信線路改善装置の構成を示す図である。同図の電力線通信用通信線路改善装置１は、図３に示した電力線通信用通信線路改善装置１において、コモンモードチョークコイル２とコンセントプラグ４との間にコンセントジャック５とは異なるコンセントジャック６を挿入する構成としている。なお、その他の構成については、図３に示した実施の形態２の構成と同一または同等であり、共通の構成部には同一の符号を付してその説明を省略する。
【００２４】
図４に示すような構成によれば、コモンモードチョークコイル２とコンセントプラグ４との間に具備されるコンセントジャック５に他の電力線通信装置を接続することができる。すなわち、他の電力線通信装置との間でコンセントの共用が可能となり、電力線通信装置の接続箇所の自由度を増大することができるという効果が得られる。
【００２５】
以上説明したように、この実施の形態にかかる電力線通信用通信線路改善装置は、コモンモードチョークコイルの電力線通信線路側に、電力線通信装置とは異なる他の電力線通信装置の接続を可能とするコンセントジャックを設けるようにしているので、他の電力線通信装置との間でコンセントの共用が可能となり、電力線通信装置の接続箇所の自由度を増大することができる。
【００２６】
実施の形態４．
図５は、本発明の実施の形態４にかかる電力線通信用通信線路改善装置の構成を示す図である。同図の電力線通信用通信線路改善装置１は、図４に示した電力線通信用通信線路改善装置１において、コンセントジャック５とコンセントプラグ４との間にコモンモードチョークコイル２とは異なるコモンモードチョークコイル７を挿入する構成としている。なお、その他の構成については、図４に示した実施の形態３の構成と同一または同等であり、共通の構成部には同一の符号を付してその説明を省略する。
【００２７】
図５に示すような構成によれば、コンセントジャック５に他の電力線通信装置を接続した場合に、接続した他の電力線通信装置と電力線通信線路との間にコモンモードチョークコイル７が挿入される構成となるので、新たに接続した他の電力線通信装置の接続によって悪化する可能性のある電力線通信線路の不平衡度を改善することができるという効果が得られる。
【００２８】
以上説明したように、この実施の形態にかかる電力線通信用通信線路改善装置は、他の電力線通信装置の接続を可能とするコンセントジャックの電力線通信線路側に、コモンモードチョークコイルとは異なるコモンモードチョークコイルを設けるようにしているので、新たに接続した他の電力線通信装置の接続によって悪化する可能性のある電力線通信線路の不平衡度を改善することが可能となる。
【００２９】
実施の形態５．
図６は、本発明の実施の形態５にかかる電力線通信用通信線路改善装置の構成を示す図である。同図の電力線通信用通信線路改善装置１は、図３に示した電力線通信用通信線路改善装置１において、ディファレンシャルモードチョークコイル３とコンセントジャック５との間にディファレンシャルモードコンデンサ８を挿入する構成としている。なお、その他の構成については、図３に示した実施の形態２の構成と同一または同等であり、共通の構成部には同一の符号を付してその説明を省略する。
【００３０】
図５に示すような構成によれば、電力線通信線路と電力線通信線路に接続される他の装置との間にディファレンシャルモードコンデンサ８が挿入される構成となるので、実施の形態２の効果に加え、電力線通信線路に接続された他の装置から発生するノイズの電力線通信線路への流出に対する抑止効果を増大させることができる。
【００３１】
以上説明したように、この実施の形態にかかる電力線通信用通信線路改善装置は、ディファレンシャルモードチョークコイルの電力線通信装置以外の装置が接続される側に、電力線通信線路側へのディファレンシャルモード電流を低減させるディファレンシャルモードコンデンサをさらに具備するようにしているので、電力線通信線路に接続された他の装置から発生するノイズの電力線通信線路への流出を抑止することが可能となる。
【００３２】
なお、この実施の形態では、図３に示す電力線通信用通信線路改善装置１のディファレンシャルモードチョークコイル３とコンセントジャック５との間にディファレンシャルモードコンデンサ８を挿入する構成を示したが、図４および図５に示す電力線通信用通信線路改善装置１においても同様に適用することができ、それらの各実施の形態の効果に加え、本実施の形態の効果をも得ることができる。
【産業上の利用可能性】
【００３３】
以上のように、本発明は、電力線通信線路に接続され、通信装置以外の装置の接続によって悪化した電力線通信線路の通信品質を改善する装置として有用である。
【図面の簡単な説明】
【００３４】
【図１】本発明の実施の形態１にかかる電力線通信用通信線路改善装置の構成を示す図である。
【図２】本発明の実施の形態１にかかる電力線通信用通信線路改善装置と電力線通信線路との接続例を示す図である。
【図３】本発明の実施の形態２にかかる電力線通信用通信線路改善装置の構成を示す図である。
【図４】本発明の実施の形態３にかかる電力線通信用通信線路改善装置の構成を示す図である。
【図５】本発明の実施の形態４にかかる電力線通信用通信線路改善装置の構成を示す図である。
【図６】本発明の実施の形態５にかかる電力線通信用通信線路改善装置の構成を示す図である。
【符号の説明】
【００３５】
１  電力線通信用通信線路改善装置
２，７  コモンモードチョークコイル
３  ディファレンシャルモードチョークコイル
４  コンセントプラグ
５，６  コンセントジャック
８  ディファレンシャルモードコンデンサ
【図１】
2007329736.tif 000003
【図２】
2007329736.tif 000004
【図３】
2007329736.tif 000005
【図４】
2007329736.tif 000006
【図５】
2007329736.tif 000007
【図６】
2007329736.tif 000008